(57)【要約】      （修正有）【課題】布団の重量を増やし、掛けて眠ることでストレスと不安感を和らげ、全体の厚みと体積は過大でなく、場所を取らず、収納に便利で、使用の快適性を拡大でき、さらに血行及び新陳代謝を促進する加重布団の構造を提供する。【解決手段】加重布団の構造は布カバー１０、複数の充填材２０を備え、布カバーは上布片１１と下布片１２が相対的に縫合されて構成され、内部には格子状の複数の収容設置空間１３を縫製して設置し、下布片は共震エネルギー波を放出する遠赤外線布で、複数の充填材は複数の収容設置空間中に充填され、コットン層に石英砂層を結合してなる。【選択図】図１
0003220253.tif 000002
【実用新案登録請求の範囲】
【請求項１】
加重布団の構造は、布カバー及び複数の充填材を備え、
該布カバーは、上布片と下布片が相対的に縫合されて構成され、しかも内部には、格子状の複数の収容設置空間を縫製により設置し、該下布片は、共震エネルギー波を放出できる遠赤外線布で、
該複数の充填材は、該複数の収容設置空間中に充填され、該充填材は、コットン層に石英砂層を結合することを特徴とする加重布団の構造。
【請求項２】
前記各収容設置空間の中には、１個の充填材を充填することを特徴とする請求項１に記載の加重布団の構造。
【請求項３】
前記各収容設置空間の中には、複数の充填材を充填することを特徴とする請求項１に記載の加重布団の構造。
【請求項４】
前記上布片は、共震エネルギー波を放出できる遠赤外線布であることを特徴とする請求項１に記載の加重布団の構造。
【請求項５】
前記石英砂層は、接着剤により接着する方式で、複数の石英砂は該コットン層に結合されて構成されることを特徴とする請求項１に記載の加重布団の構造。
【考案の詳細な説明】
【技術分野】
【０００１】
本考案は加重布団構造の技術領域に関し、特に睡眠時にストレスと不安感を和らげる効果を達成でき、しかも全体の厚み及び体積は過大でなく、場所を取らず、収納に便利で、使用の快適性を拡大でき、さらに血行及び新陳代謝を促進する機能を備える加重布団の構造に関する。
【背景技術】
【０００２】
睡眠の主な機能は、日中の活動で失われたエネルギーを回復させ、人の情緒行為及び認知記憶を調整及び再編成することである。
一般に成人の平均睡眠時間は７〜８時間である。
一方「睡眠障害」はよく見られる疾病である。
欧米では１８歳以上で人口の１／３がこの障害を抱えている（台湾での慢性不眠罹患率は１５％）。
さらに驚くべきは、人口の１８％が不安障害を抱えており、１，１００万人以上が注意力不足過動症（ＡＤＨＤ）を患っている。
幸運なことに、科学者の努力により、上述の問題を改善できる方法が発見された。
その方法の核心概念は「深部感覚インプット（ｐｒｏｐｒｉｏｃｅｐｔｉｖｅ  ｉｎｐｕｔ）」、または「深層の触覚圧力刺激」と言われるものである。
身体全体に圧力を加えることで、セロトニン（ｓｅｒｏｔｏｎｉｎ）とメラトニン（ｍｅｌａｔｏｎｉｎ）の分泌を促し、同時にコルチゾール（ｃｏｒｔｉｓｏｌ）を低下させ、これにより神経システム全体を落ち着かせる。
深部感覚インプットに関する研究では、深圧刺激は人をリラックスさせる効果があり、睡眠の質をさらに改善し、しかもメンタルヘルスを増進するとされている。
【０００３】
深部感覚インプットを生じる最も有効な方法は、加重布団を使用することである。
従来の加重布団は内部のコットン、ポリエステル繊維、ウール等の充填物の量を増やすことで、全体の重量を増量する。
しかし、一般のコットン、ポリエステル繊維、ウール等の充填物は比重が小さいため、効果が出る重量まで増量するには、かなり多量の増量をする必要がある。
これにより、全体の厚み及び体積が大幅に増加し、場所を取り、収納に不便で、及び使用の快適性が劣る等の欠点が生じる。
しかも、従来の加重布団は、重量を拡大する単一作用しかなく、血行及び新陳代謝を促進するなどの他の作用を備えないため、経済効果が低い。
【先行技術文献】
【特許文献】
【０００４】
【特許文献１】特開2009-22706号公報
【考案の概要】
【考案が解決しようとする課題】
【０００５】
本考案の目的は、従来の加重布団に存在する全体の厚み及び体積が過大で、場所を取り、収納に不便で及び使用の快適性が劣理、機能が単一である等の問題を解決できる加重布団の構造を提供することである。
【課題を解決するための手段】
【０００６】
本考案による加重布団の構造は、布カバー及び複数の充填材を備え、
該布カバーは、上布片と下布片が相対的に縫合されて構成され、しかも内部には格子状の複数の収容設置空間を縫製して形成し、
該下布片は、共震エネルギー波を放出できる遠赤外線布で、
該複数の充填材は、該複数の収容設置空間中に充填され、該複数の充填材は、コットン層に石英砂層を結合して構成する。
【考案の効果】
【０００７】
本考案が提供する加重布団の構造は充填材中のコットン層により良好な柔軟性を備え、快適感を拡大でき、特に充填材の石英砂層中の比重が大きい石英砂により全体の重量を拡大し、こうして布団全体に重量は平均して分布し、これにより包み込まれるような感覚を達成でき、及び接触圧力刺激方法を利用し、身体上の関連する各圧力点を刺激し、神経システムをリラックスさせ、心拍を低下させ、ストレスを和らげ、心の健康を改善し、安眠を促進できる。
特に、必要な重量を達成するための、石英砂の必要量はそれほど多くないため、全体の厚み及び体積は過大とならず、場所を取らず、収納に便利である。
さらに、該下布片は共震エネルギー波を放出する遠赤外線布で、血行及び新陳代謝を促進できる。
【図面の簡単な説明】
【０００８】
【図１】本考案の立体外観模式図である。
【図２】本考案の局部断面拡大模式図である。
【考案を実施するための形態】
【０００９】
図１、図２に示すように、本考案による加重布団の構造は、布カバー１０及び複数の充填材２０を備える。
【００１０】
該布カバー１０は、上布片１１と下布片１２が相対的に縫合されて構成され、しかも内部には、格子状の複数の収容設置空間１３を縫製により設置する。
【００１１】
該下布片１２は、共震エネルギー波を放出できる遠赤外線布である。
【００１２】
該複数の充填材２０は、該複数の収容設置空間１３中に充填される。
【００１３】
各収容設置空間１３の中には、１個の充填材２０或いは複数の充填材２０をそれぞれ充填する。
【００１４】
該充填材２０は、コットン層２１に石英砂層２２を結合し、該石英砂層２２は、接着剤により接着する方式で、該コットン層２１に複数の石英砂を結合して構成され、これにより該充填材２０は、コットンの良好な柔軟性を備えるばかりか、比重が大きい石英砂によりその重量を増量できる。
【００１５】
本考案では、該上布片１１も、共震エネルギー波を放出できる遠赤外線布とでき、これにより本考案による加重布団は上側、下側を分けることなく、任意に使用できる。
【００１６】
本考案が提供する加重布団の構造は、該充填材２０中のコットン層２１により、良好な柔軟性を備え、快適感を拡大でき、特に該充填材２０石英砂層２２中の比重が大きい石英砂により全体の重量を拡大し、こうして布団全体に重量は平均して分布し、これにより包み込まれるような感覚を達成でき、及び接触圧力刺激方法を利用し、身体上の関連する各圧力点を刺激し、神経システムをリラックスさせ、心拍を低下させ、ストレスを和らげ、心の健康を改善し、安眠を促進できる。
【００１７】
特に、必要な重量を達成するための、石英砂の必要量はそれほど多くないため、全体の厚み及び体積は過大とならず、場所を取らず、収納に便利である。
【００１８】
さらに、該下布片１２は、共震エネルギー波を備える遠赤外線を放射するため、血行及び新陳代謝を促進できる。
【産業上の利用可能性】
【００１９】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２０】
１０  布カバー
１１  上布片
１２  下布片
１３  収容設置空間
２０  充填材
２１  コットン層
２２  石英砂層
【図１】
0003220253.tif 000003
【図２】
0003220253.tif 000004